(57)【要約】      （修正有）【課題】卓上カレンダーとして利用する際の安定性とノートとして利用する際の使い易さを高いレベルで実現することができ、さらにデザイン性に優れたノートカレンダーを提供する。【解決手段】表紙Ａ２と、表紙Ｂ３を回動可能に綴じる綴じ具６と、を備え、表紙Ａが、表紙部Ａ２１と折り線Ａ４１を介して連続する折り部Ａ２２と、自立用係合部材２３と、閉止部材とを有し、表紙Ｂが、表紙部Ｂ３１と折り線Ｂ５１を介して連続する折り部Ｂ３２と、自立用係合部材３３と、閉止部材とを有し、折り部Ａ２２およびＢ３２を外側に曲げ、表紙ＡおよびＢにより鋭角を構成し、自立用係合部材２３および３３を係合させることにより自立する卓上カレンダー。【選択図】図１
2015101003.tif 000002
【特許請求の範囲】
【請求項１】
カレンダーが印刷された用紙を含む穴あき用紙群と、
前記各用紙よりも肉厚で弾性のある穴あき表紙Ａ（２）と、
前記各用紙よりも肉厚で弾性のある穴あき表紙Ｂ（３）と、
前記穴あき用紙群、前記表紙Ａおよび前記表紙Ｂを回動可能に綴じる綴じ具と、を備え、
前記表紙Ａが、前記各用紙よりも僅かに大きい表紙部Ａ（２１）と、前記表紙部Ａと折り線Ａを介して連続する折り部Ａ（２２）と、折り部Ａに設けられた自立用係合部材Ａ（２３）と、折り部Ａに設けられた閉止部材Ａ（２４）とを有し、
前記表紙Ｂが、前記各用紙よりも僅かに大きい表紙部Ｂ（３１）と、前記表紙部Ｂと折り線Ｂを介して連続する折り部Ｂ（３２）と、折り部Ｂに設けられた自立用係合部材Ｂ（３３）と、折り部Ｂに設けられた閉止部材Ｂ（３４）とを有し、
前記折り部ＡおよびＢを外側に曲げ、前記表紙ＡおよびＢにより鋭角を構成し、前記自立用係合部材ＡおよびＢを係合させることにより自立する卓上カレンダーを構成することができ、
前記折り部ＡおよびＢを内側に曲げ、前記各用紙が対向するように前記表紙Ａおよび表紙Ｂを閉じた際に、前記閉止部材ＡおよびＢにより固定することができることを特徴とするノートカレンダー。
【請求項２】
前記表紙ＡおよびＢが、樹脂板からなり、
前記折り線ＡおよびＢが、それぞれ平行する二本の折り線により構成されることを特徴とする請求項１に記載のノートカレンダー。
【請求項３】
前記折り線ＡおよびＢが、それぞれスジ押しと全抜きミシンの組み合わせからなることを特徴とする請求項２に記載のノートカレンダー。
【請求項４】
前記スジ押しが、前記表紙ＡおよびＢの表側から形成されていることを特徴とする請求項３に記載のノートカレンダー。
【請求項５】
前記自立用係合部材Ａ（２３）が、複数の挿入口であり、
前記自立用係合部材Ｂ（３３）が、複数の挿入片であり、
前記卓上カレンダーを構成し、前記綴じ具が着地するように倒した場合に、上方から下方に押圧すると前記表紙部ＡおよびＢの距離が近づいてノートとして利用できる程度に平板状となることを特徴とする請求項２ないし４のいずれかに記載のノートカレンダー。
【請求項６】
前記閉止部材ＡおよびＢが、面ファスナにより構成されることを特徴とする請求項１ないし５のいずれかに記載のノートカレンダー。
【請求項７】
前記用紙群が、前記ノートカレンダーを縦方向とした場合に見開きで第一の方向に延びる横書き罫線が表示される用紙の組を有すること、並びに、一方の面にカレンダーの印刷が表示される際には他方の面に第一の方向と直交する第二の方向に延びる横書き罫線が表示される用紙の組を有することを特徴とする請求項１ないし６のいずれかに記載のノートカレンダー。
【発明の詳細な説明】
【技術分野】
【０００１】
本発明は、ノート（または手帳）として利用可能であると共に自立する卓上カレンダーとしても利用可能なノートカレンダーに関する。
【背景技術】
【０００２】
カレンダーの一形態として、机の上に置いて使用される卓上カレンダーがある。卓上カレンダーの構造としては、例えば、側面視が三角形である自立型の卓上カレンダーが知られている。従来から卓上カレンダーに広告を印刷し、いわゆるノベルティ（販促品）として配付することが広く行われている。このような用途に用いられる卓上カレンダーは、冊子状に折り畳んで配付されることが通常である。
【０００３】
また、卓上カレンダーにノートとしての機能を持たせることも提案されている。
特許文献１には、表紙となる厚紙、裏表紙となる厚紙、並びに、カレンダー及びノート用紙群の一辺をリングで綴じてなる自立タイプノートカレンダーが提案されている。
特許文献２には、支持部材と前記支持部材に支持される複数枚の表示体とからなる卓上カレンダーにおいて、前記支持部材は、正面部と背面部と底面部とが折り部を介して連続して縦断面形状が三角形となるスリーブ体であり、前記正面部と前記背面部の前記折り部に前記複数枚の表示体を中綴じによって固定する中綴式卓上カレンダーが提案されており、この卓上カレンダーの下部に、広告や店名を掲載した広告掲載部を設けることも提案されている。
特許文献３には、カレンダー用紙群を２枚の表紙とともにその一辺を綴じ具により回動可能にファイリングし、表紙に設けた切欠溝と起立可能な脚部領域により立てられるようにした小型カレンダーにおいて、６枚の大紙片と、各表紙と各大紙片の間にそれぞれ４枚ずつ配した小紙片とでカレンダー用紙群を構成し、大紙片の小紙片と重ならない部分に月別の七曜表を表示するとともに小紙片と重なる部分に当該七曜表の最終週分の日付欄を表紙し、４枚ずつの小紙片には隣接する大紙片に表示した七曜表の１〜４週のうらの各週分の日付欄をそれぞれ表示することが提案されている。
【先行技術文献】
【特許文献】
【０００４】
【特許文献１】実用新案登録第３１１２９０３号公報
【特許文献２】特開２００４−３３０５９７号公報
【特許文献３】特開平７−６８９７１号公報
【発明の概要】
【発明が解決しようとする課題】
【０００５】
上記特許文献に記載されるカレンダーは、卓上カレンダーにノートの機能を持たせることを可能とするものであるが、卓上カレンダーとして利用する際の安定性とノートとして利用する際の使い易さを高いレベルで実現することはできていなかった。
また、卓上カレンダーに書き込みを行う際には、卓上カレンダーを直立させたたま不安定な状態で書き込みを行うか、その都度卓上カレンダーを分解する必要があった。
さらには、近年ユーザーの要求するデザイン水準は高まっており、デザイン性に優れていないと購入して貰えず、ノベルティとして配付しても使ってもらえないことが経験則上分かっている。
【０００６】
そこで、本発明は、卓上カレンダーとして利用する際の安定性とノートとして利用する際の使い易さを高いレベルで実現することができ、さらにデザイン性に優れたノートカレンダーを提供することを目的とする。また、本発明は、卓上カレンダーとして利用する際も、安定的な状態で書き込みを行うことが可能なノートカレンダーを提供することも目的とする。
【課題を解決するための手段】
【０００７】
本発明のノートカレンダーは、カレンダーが印刷された用紙を含む穴あき用紙群と、前記各用紙よりも肉厚で弾性のある穴あき表紙Ａ（２）と、前記各用紙よりも肉厚で弾性のある穴あき表紙Ｂ（３）と、前記穴あき用紙群、前記表紙Ａおよび前記表紙Ｂを回動可能に綴じる綴じ具と、を備え、前記表紙Ａが、前記各用紙よりも僅かに大きい表紙部Ａ（２１）と、前記表紙部Ａと折り線Ａを介して連続する折り部Ａ（２２）と、折り部Ａに設けられた自立用係合部材Ａ（２３）と、折り部Ａに設けられた閉止部材Ａ（２４）とを有し、前記表紙Ｂが、前記各用紙よりも僅かに大きい表紙部Ｂ（３１）と、前記表紙部Ｂと折り線Ｂを介して連続する折り部Ｂ（３２）と、折り部Ｂに設けられた自立用係合部材Ｂ（３３）と、折り部Ｂに設けられた閉止部材Ｂ（３４）とを有し、前記折り部ＡおよびＢを外側に曲げ、前記表紙ＡおよびＢにより鋭角を構成し、前記自立用係合部材ＡおよびＢを係合させることにより自立する卓上カレンダーを構成することができ、前記折り部ＡおよびＢを内側に曲げ、前記各用紙が対向するように前記表紙Ａおよび表紙Ｂを閉じた際に、前記閉止部材ＡおよびＢにより固定することができることを特徴とする。
【０００８】
上記ノートカレンダーにおいて、前記表紙ＡおよびＢが、樹脂板からなり、前記折り線ＡおよびＢが、それぞれ平行する二本の折り線により構成されることを特徴としてもよく、この際、前記折り線ＡおよびＢが、それぞれスジ押しと全抜きミシンの組み合わせからなることを特徴とすることが好ましく、前記スジ押しが、前記表紙ＡおよびＢの表側から形成されていることを特徴とすることがより好ましく、さらに、前記自立用係合部材Ａ（２３）が、複数の挿入口であり、前記自立用係合部材Ｂ（３３）が、複数の挿入片であり、前記卓上カレンダーを構成し、前記綴じ具が着地するように倒した場合に、上方から下方に押圧すると前記表紙部ＡおよびＢの距離が近づいてノートとして利用できる程度に平板状となることを特徴とすることが好ましい。
上記ノートカレンダーにおいて、前記閉止部材ＡおよびＢが、面ファスナにより構成されることを特徴としてもよい。
上記ノートカレンダーにおいて、前記用紙群が、前記ノートカレンダーを縦方向とした場合に見開きで第一の方向に延びる横書き罫線が表示される用紙の組を有すること、並びに、一方の面にカレンダーの印刷が表示される際には他方の面に第一の方向と直交する第二の方向に延びる横書き罫線が表示される用紙の組を有することを特徴としてもよい。
【発明の効果】
【０００９】
本発明によれば、卓上カレンダーとして利用する際の安定性とノートとして利用する際の使い易さを高いレベルで実現することができ、さらにデザイン性に優れたノートカレンダーを提供することが可能となる。
また、卓上カレンダーとして利用する際も、安定的な状態で書き込みを行うことが可能なノートカレンダーを提供することが可能となる。
【図面の簡単な説明】
【００１０】
【図１】本発明のノートカレンダーを開き、各折り部を伸ばした状態の平面図である。
【図２】本発明のノートカレンダーを開き、各折り部を内側に曲げた状態の平面図である。
【図３】本発明のノートカレンダーを開き、各折り部を伸ばした状態の背面図である。
【図４】本発明のノートカレンダーを卓上カレンダー形状にした場合の側面図である。
【図５】本発明の折り線Ａの上面視拡大図である。
【図６】本発明の折り線Ａの側面視拡大図である。
【図７】自立用係合部材を構成する挿入口の別の形状を示す平面図である。
【図８】本発明のノートカレンダーを紙面が対向するように閉じた状態の斜視図である。
【図９】本発明のノートカレンダーを卓上カレンダー形状にし、力を作用させずに底面から見た場合（第一の姿勢）の斜視図である。
【図１０】本発明のノートカレンダーを卓上カレンダー形状にし、押しつぶした状態を底面から見た場合（第二の姿勢）の斜視図である。
【発明を実施するための形態】
【００１１】
本発明のノート機能を有するノートカレンダーの実施形態例を、図面を参照しながら説明する。
＜ノートカレンダーの構造＞
実施形態例のノートカレンダー１は、開いた状態では通常の見開きノートとして利用することができ、折り部Ａ２２および折り部Ｂ３２を連結した状態では自立する卓上カレンダーとして利用するのと共に押しつぶしてノートとして利用することができる。
図１ないし図３に示すように、ノートカレンダー１は、折り部Ａ２２を有する表紙Ａ２と、折り部Ｂ３２を有する表紙Ｂ３と、工業規格サイズのＡ面用紙１１およびＢ面用紙１２と、Ａ面用紙１１およびＢ面用紙１２を回動可能に綴じる綴じ具６と、を備えている。例示のノートカレンダー１には、Ａ５サイズのＡ面用紙１１およびＢ面用紙１２が綴られている。Ａ面用紙１１およびＢ面用紙１２には、切り離しを可能とするための切り取りミシンを付しても良い。
【００１２】
図３に示すように、実施形態例に係る表紙Ａ２は、一枚の樹脂製平板により構成されており、表紙部Ａ２１と折り部Ａ２２とに区分されている。表紙部Ａ２１と折り部Ａ２２との間には、二本の折り線（Ａ４１、Ａ４２）が形成されている。表紙Ａ２は一枚の厚紙により構成することもできるが、耐久性の観点からは樹脂板により構成することが好ましい。
樹脂板は、例えば、０．４〜１．２ｍｍ厚のものを用いることができるが、卓上カレンダーとして利用する際の安定性を考慮すると、０．５ｍｍ以上の厚みの樹脂板を用いることが好ましい。他方で、樹脂板が厚みを増すのと共に折り曲げ時の反発力が強くなるので、好ましい樹脂板の厚みは０．４〜０．８ｍｍである。
【００１３】
折り部Ａ２２は、折り線Ａ４１およびＡ４２により、内側または外側に折ることが可能となっている。折り部Ａ２２の短辺は、安定性があり且つ邪魔にならない底面部７を構成する長さに構成され、例えば２〜６ｃｍ或いは表紙Ａ２の短辺の１／６〜１／３の長さである。折り部Ａ２２の角部は、アール形状となっており、使用時に引っかかりが生じにくいようになっている。折り部Ａ２２および折り部Ｂ３２を内側に折り曲げると、ノートのページ位置を記憶するしおりとして利用することができ、見た目もブックカバーのようになり、デザイン性も良好である。
【００１４】
折り部Ａ２２は、外側に折り曲げて折り部Ｂ３２と連結した状態では、自立する側面視三角形の卓上カレンダーの底面を構成する。表紙Ａ２を樹脂板により構成し、その表面にシボ加工を施すことで、高級感を出すようにしてもよい。この樹脂板は、任意の色とすることできるのでカラーバリエーションを設けることもできるし、模様を印刷することもできる。表紙Ａ２の任意の箇所に広告、社名、電話番号、メールアドレスなどの文字や図柄を印刷することも可能である。また、折り部Ａ２２の裏側（図１で見える側）に文字や図柄を印刷することで、個人情報や広告等を目立たない場所に表示させることも可能である。
表紙Ｂ３、表紙部Ｂ３１および折り部Ｂ３２の構成は、表紙Ａ２、表紙部Ａ２１および折り部Ａ２２と同じ構成であるので説明を割愛する。
【００１５】
折り線Ａ４１およびＡ４２は、折り部Ａ２２を内側または外側に折るための折り線であり、表紙部Ａ２に形成されている。折り線Ａ４１およびＡ４２は、熱スジ、半抜きスジ、スジ押しまたはミシン線により構成することができるが、０．５ｍｍ以上の厚みの樹脂板では反発力が強すぎると使いにくいという課題が生ずる。試作した結果ではスジ押しと全抜きミシンの組み合わせが最も反発力を抑えることができ、使い勝手に優れていた。
【００１６】
図５に、スジ押しおよび全抜きミシンからなる折り線Ａ４１および４２を説明する拡大図を示す。スジ押し４３は、表紙Ａ２の表側および／または裏側から押圧して形成した溝である。折り部２を内側に折りやすく外側に折りにくくするためには、表紙Ａ２の表側（図３で見える側）からスジ押しをすることが好ましい。図５に示すように表側に溝４３ａができるようにスジ押しを形成すると、溝底部４３ｂの作用などにより、（図６で逆Ｖ字を形成する方向）内側に折りやすく（図６でＶ字を形成する方向）外側に折りにくくなる。
全抜きミシン４４は、スジ押しと実質的に同じ長さかつ同じ幅の貫通孔である。
全抜きミシンの長さは、表紙Ａ２の厚みにより最適に設定されるが、例えば０．５〜１．０ｍｍ厚のポリプロピレン（ＰＰ）板の場合、０．５〜１．５ｃｍの間隔でスジ押しと全抜きミシンとを交互に等間隔で連続させることが開示される。スジ押しおよび全抜きミシンからなる折り線は、自動平盤打抜機により同時に形成することが可能である。なお、スジ押しは熱を与えずに形成するが、熱スジは例えば約１００℃の熱を与えて形成する。
【００１７】
折り線Ａは、一本の線により構成することもできるが、例示のように二本の折り線（Ａ４１、Ａ４２）により構成することが好ましい。折り線Ａを二本の折り線で構成することにより、表紙Ａ２を樹脂板で構成した際の反発力をより一本の折り線の場合よりも抑えることが可能であるからである。また、折り線Ａを二本で構成することにより、Ａ面用紙１１の頁数が増えたて厚みが増した場合にも、その影響を受けることなく折り曲げることが可能となっている。二本の折り線（Ａ４１、Ａ４２）は平行であり、その間隔は例えば数ｍｍである。
表紙部Ｂ３１と折り部Ｂ３２との間にも、二本の折り線（Ｂ５１、Ｂ５２）が形成されているが、折り線（Ａ４１、Ａ４２）と同じ構成であるので説明を割愛する。
【００１８】
折り部Ａ２２には２個の挿入口からなる自立用係合部材Ａ２３が設けられており、折り部Ｂ３２に設けられた２個の挿入片からなる自立用係合部材Ｂ３３と係合させることにより、図４（ａ）に示すように側面視三角形の自立形状を構成することができる。自立用係合部材Ａ２３および自立用係合部材Ｂ３３の数は例示の各２個に限定されず、例えば１個または３個としてもよいが、試作の結果、１個では連結力が弱く、２個と３個では連結力に実質的な差異は認められなかった。従って、ユーザの手間を考えると、自立用係合部材Ａ２３および自立用係合部材Ｂ３３の数は各２個とすることが好ましい形態といえる。
【００１９】
自立用係合部材Ａ２３を構成する挿入口の形状は例示の俵型形状に限定されないが、図７に示す如く、開口が小さい形状の穴（切り込み）では、板材の厚みにより膨らんでしまい使い勝手が悪かった。従って、挿入方向（長手方向と直交する方向）に一定以上の幅を有する細長い形状の穴とすることが好ましいといえる。自立用係合部材Ｂ３３は任意の形状とすることができ、例えば、動物や野菜などのオブジェクトの形状とすることでデザイン性を高めることが開示される。なお、自立用係合部材Ｂ３３は、抜け出し防止のための拡幅部（挿入口より僅かに幅広の部分）を設けることが好ましい。
自立用係合部材（２３、３３）は、例えば面ファスナやプラフックを設けることにより構成することも可能であるが、後述する第二の姿勢を実用的なものにするためには、例示の挿入口と拡幅部を有する挿入片の組み合わせにより実現することが好ましい。
【００２０】
折り部Ａ２２の左右中央には面ファスナ（雄）からなる閉止部材Ａ２４が設けられており、折り部Ｂ３２の左右中央に設けられた面ファスナ（雌）からなる閉止部材Ｂ３４と係合させることにより、ノートカレンダー１を平板状に閉じた状態で固定することが可能である（図８参照）。閉止部材Ａ２４および閉止部材Ｂ３４は、プラホックにより構成することもできるが、係合させるために押し込みが必要であること、プラスチック製のため摩耗等への耐久性が低い。また、閉止部材Ａ２４および閉止部材Ｂ３４は、マグネットにより構成することもできるが、コストが高くなる。従って、ワンタッチで係合できコストも廉価な面ファスナにより構成することが好適である。
【００２１】
＜ノートとしての使用＞
図１に示すように、Ａ面用紙１１およびＢ面用紙１２が見開きとなるように開くことで、ノートカレンダー１をノートして使用することができる。実施形態例のＡ面用紙１１は横書きとなっているので、ユーザはＢ面用紙１２のカレンダーを確認しながら、そのままメモを取ることができるようになっている。すなわち、カレンダーが印刷されたＢ面用紙１２と対になるＡ面用紙１１には、上から下に向けて横書きをするのに適した罫線および／または図柄（例えば方眼）を印刷することが好ましい。実施形態例のＡ面用紙１１は、横書き用の罫線のみが印刷されているので（文字が印刷されていないので）、図１０の如く表紙部Ａ２１および表紙部Ｂ３１が対向するように閉じた状態において、Ａ面用紙１１とＢ面用紙１２を左右または上下に反転させてユーザが使用することも可能となっている。なお、実施形態例はとは異なり、Ａ面用紙１１にカレンダーを印刷し、Ｂ面用紙１２に罫線および／または図柄を印刷するようにしてもよい。
【００２２】
実施形態例のＡ面用紙１１は、カレンダーと対とならないページでは、ノートカレンダー１の長辺と直交する方向に延びる罫線が印刷されている。カレンダーが印刷されていないＢ面用紙１２も同様である。すなわち、カレンダーと対とならないＡ面用紙１１およびカレンダーが印刷されていないＢ面用紙１２には、ノートカレンダー１の長辺がユーザーに対して垂直、短辺がユーザに対して平行となるような位置関係において、上から下に向けて横書きをするのに適した罫線および／または図柄を印刷することが好ましい。
Ａ面用紙１１およびＢ面用紙１２の頁数の合計は、例えば１２〜１００枚程度であるが、ノートないし手帳としての使用を考慮すると合計で２０枚以上とすることが好ましく、より好ましくは３０枚以上とする。表紙部Ａ２１と折り部Ａ２２との間に二本の折り線（Ａ４１、Ａ４２）が形成され、表紙部Ｂ３１と折り部Ｂ３２との間にも二本の折り線（Ｂ５１、Ｂ５２）が形成されているので、２０〜３０枚以上の頁数になって紙の厚みが増しても、使い勝手は良好である。このように、本発明では、ノートカレンダー１の頁数を増やすことができるので、手帳としての利用にも好適である。
【００２３】
＜卓上カレンダーへとしての使用＞
対向する表紙部Ａ２および表紙部Ｂ３により鋭角を構成し、折り部Ａ２２および折り部Ｂ３２を外側に折り曲げて連結することで、自立する側面視三角形の卓上カレンダーの形状にすることができる（図４（ａ）参照）。Ｂ面用紙１２には、１月から１２月までのカレンダーが印刷されており、使用する月のページが現れるようにページをめくることで、卓上カレンダーとして使用することが可能である。
【００２４】
＜卓上カレンダーへの書き込み＞
自立する側面視三角形状の卓上カレンダーの形状にあるノートカレンダー１は、外部から力が作用していない状態にとる第一の姿勢（図４（ａ）および図９参照）と、外部から押圧された状態にとる第二の姿勢（図４（ｃ）参照）とを有している。
第一の姿勢において、挿入片からなる自立用係合部材Ａ２３が長穴からなる自立用係合部材３２に挿入係合されているので、側面から視た底面部７の中央部は内側に僅かに隆起した状態となっている（底側から底面部７を見た場合は、緩やかな角度のＶ字形状となっている。）。このような構造を有する卓上カレンダーをＡ面用紙１１またはＢ面用紙１２が机の上面に当接するように置き、机の上面に押しつけると、図４（ｂ）に示す如く底面部７の隆起が大きくなるのと共に表紙部Ａ２１およびＢ３１の距離が近づき、さらに押しつけると底面部７が潰れ表紙部Ａ２１およびＢ３１の距離がさらに近づいて図４（ｃ）に示す第二の姿勢をとるようになる。
【００２５】
この第二の姿勢では、図１０に示すように、ノートとして利用できる程度に平板状となるので、ユーザが筆記具を握る手の小指側で押圧力を加えながら、Ａ面用紙１１またはＢ面用紙１２に書き込みを安定的に行うことが可能となる。ユーザがノートカレンダー１への押圧力を開放すると、樹脂板からなる折り部Ａ２２および折り部Ｂ３２の反発力により、ノートカレンダー１は第一の姿勢に戻る。
【００２６】
以上に説明した本発明のノートカレンダー１は、ノート（または手帳）として利用可能であると共に自立する卓上カレンダーとして利用することも可能である。このノートカレンダー１は、二本の折り線により折り部（Ａ２２、Ｂ３２）の反発が抑えられているので、ブックカバー付きノートの外観を呈することが可能である。さらに、このノートカレンダー１は、卓上カレンダーとして利用する場合においても、底面部７の形状変化により押しつぶして筆記を行うことができるという従来に無い使用形態を提供することを可能とするものである。
【符号の説明】
【００２７】
１：ノートカレンダー
２：表紙Ａ
３：表紙Ｂ
６：綴じ具（リング）
７：底面部
１１：Ａ面用紙
１２：Ｂ面用紙
２１：表紙部Ａ
２２：折り部Ａ
２３：自立用係合部材
２４：閉止部材
３１：表紙部Ｂ
３２：折り部Ｂ
３３：自立用係合部材
３４：閉止部材
４１：折り線Ａ
４２：折り線Ａ
４３：スジ押し
４４：全抜きミシン
５１：折り線Ｂ
５２：折り線Ｂ
５３：スジ押し
５４：全抜きミシン
【図１】
2015101003.tif 000003
【図２】
2015101003.tif 000004
【図３】
2015101003.tif 000005
【図４】
2015101003.tif 000006
【図５】
2015101003.tif 000007
【図６】
2015101003.tif 000008
【図７】
2015101003.tif 000009
【図８】
2015101003.tif 000010
【図９】
2015101003.tif 000011
【図１０】
2015101003.tif 000012